(57)【特許請求の範囲】
【請求項１】
回転軸に装着する基板に、回転中心から一定寸法の回転軌跡上の複数位置に脚を突出させるとともに、該脚は先方に向けて小径の回転軌跡上に収斂させ、脚の先端にマルチングシートを破る爪を形成したことを特徴とするマルチングシート用穿孔具。
【請求項２】
前記、基板は刈り払い機の回転軸に着脱自在であることを特徴とする請求項１記載のマルチングシート用穿孔具。
【請求項３】
基板に突出させる脚の長さは、少なくとも植栽する苗の植え穴の深さよりも長寸法であることを特徴とする請求項１又は２記載のマルチングシート用穿孔具。
【請求項４】
脚の先端に形成するマルチングシートを破る爪が鋭利な切れ刃であることを特徴とする請求項１ないし３のいずれかに記載のマルチングシート用穿孔具。
【発明の詳細な説明】
【０００１】
【発明の属する技術分野】
この発明は、マルチング栽培において刈り払い機などの回転力を利用して、土の表面をカバーしたマルチングシートに貫通孔を開けるとともに、苗を植えたり種を蒔くための植え穴を掘ることができるマルチングシート用の穿孔具に関する発明である。
【０００２】
【従来の技術】
マルチング栽培においては、主として合成樹脂製シート材で作られたマルチングシートで土の表面を覆い、次に、土の表面を覆っているマルチングシートに貫通孔をあけ、貫通孔から露出する土に苗を植えたり種が蒔かれる。この場合、土の表面を覆っているマルチングシートに貫通孔をあけるには、特許文献１に開示されているように、先端が鋸歯状に形成されている円筒状のカッターや、特許文献２に開示されているように鋭利なカッターを用いたコンパス方式によって、一々手で孔を開けているのが実情である。また、特許文献３に開示されているように、ヒータを利用して熱溶解によって孔を開ける方法も提案されている。
【０００３】
【特許文献１】
実開昭６２−１６２５０号公報
【特許文献２】
実用新案登録第３０８３７９３号公報
【特許文献３】
特開平９−３７６６２号公報
【０００４】
【発明が解決しようとする課題】
特許文献１や２に開示されるように、手動で一々孔を開ける方法では、穿孔に手数を要するとともに、穿孔されて土が露出している部分に植え穴を掘って苗を植栽する必要がある。また、特許文献３に開示されるように熱溶解によって孔をあける方法では、熱源となる電源を携行する必要があり、田畑で利用するには現実的でないとともに、苗を植栽するための植え穴を掘る必要があることに変わりがなく、全体として手数を要するものであった。
【０００５】
上記、従来技術の欠点に鑑み、本発明はマルチングシートに貫通孔を簡単に穿孔することができるとともに、貫通孔を穿設すると同時に植え穴を掘り、ここに苗を植えたり、種を蒔くことによって全体として極めて能率的にマルチング栽培を行なうことができるマルチングシート用穿孔具を提供することを目的とするものである。
【０００６】
【課題を解決するための手段】
上記目的を達成するために、本発明に係るマルチングシート用穿孔具は、回転工具の回転力を利用する。すなわち、刈り払い機４などの回転軸５に装着する基板１に、回転中心から一定寸法の回転軌跡上の複数位置に脚２，２を突出させる。この脚２，２は、先方に向けて小径の回転軌跡上に収斂させ、脚２の先端にマルチングシート６を破る爪７を形成する。このマルチングシート用穿孔具は、回転工具であればどのようなものであっても利用することが可能であるが、農家の多くが保有する刈り払い機の回転軸に装着して利用するのが便利である。
【０００７】
マルチングシート用穿孔具を回転軸５に装着して、脚２の先端を土10の表面を覆っているマルチングシート６表面に当接させると、脚２，２の先端に形成した爪７によってマルチングシート６に、脚２の先端部分の回転軌跡に相当する小径の孔13が穿孔される。しかる後、脚２を土10の中に押し込んで行くと、脚２，２によって深耕されると同時に、土10の一部が外方に押し出されて植え穴12が掘られる。このとき、脚２，２の回転軌跡が次第に大きくなるため、マルチングシート６の貫通孔13が次第に拡径されると同時に、脚２，２によって外方に押し出された土10は、マルチングシート６によってカバーされているため、周辺に飛び散ることがない。
【０００８】
以上述べたように、脚２，２はマルチングシート６に貫通穴13を穿設する機能と、土10を深耕し植え孔12を掘る作用があるため、基板１に突出させる脚２の長さは少なくとも植栽する苗11の植え穴12の深さよりも長寸法であるのが望ましい、また、脚２の先端に形成するマルチングシート６を破る爪７が鋭利な切れ刃であると、マルチングシート６に対し無理なく貫通孔13を穿設することができる。
【０００９】
【発明の実施の形態】
以下、本発明に係るマルチングシート用穿孔具の好ましい実施の形態を、添付の図面に基づいて説明する。
図１は刈り払い機に装着した状態であってマルチングシート用穿孔具を縦断した正面図、図２はマルチングシート用穿孔具の斜視図、図３はマルチングシート用穿孔具を反転させた状態の斜視図、図４はマルチングシート用穿孔具の正面図である。
【００１０】
図１ないし図４に示すマルチングシート用穿孔具は、円板状の基板１の外周近くに、下方に向けて三本の脚２，２を突出させている。円板状の基板の中心には、刈り払い機４の回転軸５に装着することができるように取付孔３が穿設してある。取付孔３は、真円の貫通孔であってもよいが、スプライン軸のように凹凸嵌合するものであると、回転軸５に対しての空転を回避することができる。
【００１１】
基板１から下方に突出させる脚２，２は、回転中心となる取付孔から一定寸法の複数位置、図示例では等間隔の三箇所に配置している。したがって、脚２の上端部分は、直径D1の回転軌跡上に配置されることになる。直径D1の回転軌跡上に配置された脚２は、先端が前記D1よりも小さな直径D2の回転軌跡に収斂するように傾斜させてあり、先端にマルチングシート６を破ることができる爪７を形成している。爪７の形状はマルチングシート６を破ることができるものであれば、どのような形状であってもよい。図面では、外周部分に鋭利な切れ刃を形成するように研削している。
【００１２】
基板の直径D1は、植え付ける植物に必要な植え穴の直径とし、例えばスイカでは８センチメートル、なすびでは６センチメートル、レタスでは４センチメートル程度とし、収斂する下端の回転軌跡の直径D2は、直径D1の略二分の一程度としている。一方、脚全体の長さＬは、植え穴としての深さもしくはそれよりも長寸であればよく、例えば１０センチメートル程度とする。脚２の付け根には補強部2aを形成し、回転による捩じれに耐える形状としている。
【００１３】
上記、マルチングシート用穿孔具の使用方法を図５、図６に基づいて説明する。図５に示すように、エンジン８によって刃板９を回転させて使用する刈り払い機４において、刃板９に代えて本発明に係るマルチングシート用穿孔具を装着し、マルチングシート用穿孔具を高速回転させる。この状態で図５に示すように、土10の表面を覆っているマルチングシート６に貫通孔を穿設するとともに、露出する土に植え穴12を掘り、この植え穴12に苗11を次々に植え込むように使用する。
【００１４】
マルチングシート６に貫通孔13を穿設し、かつ植え穴12を掘るには、図６の(ａ)に示すように、回転をしているマルチングシート用穿孔具先端の爪７をマルチングシート６の表面に押し当てる。脚２の先端に形成されている爪７をマルチングシート６の表面に押し当てると、爪７の回転軌跡に相当する直径の貫通孔13が爪７によって穿孔される。このとき、爪７が鋭利な刃先形状のものである場合は、きれいな円形に切り取られるが、爪７は必ずしも鋭利に研磨された切り刃でなくてもよい。すなわち、脚２が複数位置に配置されているため、マルチングシート６が複数位置において突き破られて回転すると、回転方向の前方で突き破られた位置までマルチングシートが破られることによって全体として貫通孔13が穿孔される。このことから、脚２，２は三本以上の複数本であるのが望ましい。
【００１５】
マルチングシート６に貫通孔13が穿孔された状態でマルチングシート用穿孔具を土の中に押し進めて行くと、マルチングシートの貫通孔13が徐々に拡径されるとともに、図６の(ｂ)に示すように、脚２，２が回転しながら土の中に押し込まれ、その部分の土を攪拌する。このとき攪拌された土は、回転力によって外方に押し出され、図６の(ｃ)に示すような植え孔12が形成される。脚２の横断面形状を翼状、すなわち回転方向の前面が中心方向よりも少し外方を向く形状としておくと、土をより確実に外方に押し出して深い植え孔12が形成される。もっとも、脚２は単なる棒状であっても、土を攪拌し植え土を深耕すると同時に一部の土を外方に押し出して植え穴を掘る効果がある。
【００１６】
脚２によって外方に押し出された土は、マルチングシート６よりも下方の位置において外方に移動する。そのため、外方に押し出された土はマルチングシート６の下に移動し、貫通孔13から土が飛び出すことがない。しかる後、マルチングシート用穿孔具を抜き去ると、図６の(Ｃ)に示すように、植え穴12が形成されるとともに、貫通孔13の周辺においてマルチングシート６の下に土が盛り上がった状態となり、マルチングシート用穿孔具を抜き去った後に苗11を植え込み、周辺の土を埋め戻せば苗11の植付けが完了する。
【００１７】
植え穴12に種を蒔く場合は、種すなわち植物の種類に応じて適当な播種深さとなるように、貫通孔13の周辺の土を戻した上で種を蒔くのが好ましい。植え穴12に播種する場合、播種に必要な貫通孔はごく小さなものであるが、マルチングシート６には、播種した植物が生長したときに必要な大きさの貫通孔13を穿設しておく。この場合においても、本発明に係るマルチングシート用穿孔具では、土の固まりなどがあってもこれを細かく砕くといった深耕効果がある。したがって、従来のように単にマルチングシートに穿孔するものに比較して、植付け後の植物の生長に好ましいものとなる。
【００１８】
本発明に係るマルチングシート用穿孔具は、脚２が三本である実施形態を図示しているが、四本以上であってもよい。また、深耕効果を大きくするため、脚２の長さＬがより長いものであってもよい。その場合においても、刈り払い機４などの動力工具に装着して使用する限りにおいて、作業者に過大な負担を掛けることなく、容易に作業を進めることができることになる。
【００１９】
【発明の効果】
請求項１記載の本発明マルチングシート用穿孔具によれば、回転軸に装着して、先端の爪を土の表面を覆っているマルチングシートに押し当てるだけで植物を植えるための貫通孔を穿孔することができる。そして、マルチングシート用穿孔具を土の中に押し進めることによって植え穴を掘ることができ、植付け作業が容易になるとともに、脚による深耕効果によって植物の生長が促進される効果がある。
【００２０】
請求項２記載の発明によれば、請求項１記載の発明の効果に加え、一般農家に広く普及している刈り払い機を利用して、経済的にかつ能率的にマルチング栽培の植付けを行なうことができる。
【００２１】
請求項３記載の発明によれば、植え穴を深く耕すことによってより優れたマルチング栽培を行なうことができる。
【００２２】
請求項４記載の発明によれば、マルチングシートに、より確実できれいな貫通孔を穿設することができる。
【図面の簡単な説明】
【図１】 刈り払い機に装着した状態のマルチングシート用穿孔具の縦断正面図、
【図２】図２はマルチングシート用穿孔具の斜視図、
【図３】図３はマルチングシート用穿孔具を上下反転させた状態の斜視図、
【図４】図４はマルチングシート用穿孔具の正面図
【図５】本発明に係るマルチングシート用穿孔具を刈り払い機に装着して使用する状態を示す側面図、
【図６】本発明に係るマルチングシート用穿孔具を刈り払い機に装着して使用する、作業状態を工程順に示す略図。
【符号の説明】
１…基板、    ２…脚、  2a…補強部、  ３…取付孔、  ４…刈り払い機、  ５…回転軸、  ６…マルチングシート、  ７…爪、  ８…エンジン、  ９…刃板、
10…土、  11…苗、  12…植え穴、  13…貫通孔。
【図１】
0003641475.tif 000002
【図２】
0003641475.tif 000003
【図３】
0003641475.tif 000004
【図４】
0003641475.tif 000005
【図５】
0003641475.tif 000006
【図６】
0003641475.tif 000007